(57)【要約】【課題】  管理対象物を取り替え交換する場合に、同時に取り外されにくいタグ装置とすることによって、管理対象物を識別し続けることのできるタグ装置を提供する。【解決手段】  電子タグ２に管理対象物としての蒸気トラップを識別するための識別番号を記憶する。電子タグ２に充電器７を介して取付具４と連結する。電子タグ２の下部に取り外されることを防止する注意文字をスペース１２に記載する。電子タグ２の外周を保護する透明保護ケースの外表面に酸化チタン微粒子を用いた光触媒コーティングを施す。  電子タグ２下部の取り外し防止用の注意文字１２は、光触媒の働きにより長期間にわたって防汚され鮮明であるために、作業者が管理対象物を交換する場合に、電子タグ２が取り外されてしまうことを防止することができる。【選択図】      図１
2005326592.tif 000002
【特許請求の範囲】
【請求項１】
管理対象物を識別するための識別番号が表示または記憶されたタグと、当該タグを管理対象物自体またはその近傍に取り付けるための取付具とを有するものにおいて、タグに取り外されることを防止する注意文字を記載すると共に、当該注意文字の汚れを防止する光触媒コーティングを施したことを特徴とするタグ装置。
【発明の詳細な説明】
【技術分野】
【０００１】
本発明は、管理対象物を識別するための識別番号を有し管理対象物自体またはその近傍に取り付けられるタグ装置に関する。タグ装置は、例えば各種配管に設置されるバルブやトラップ類、あるいは、各種プラントの設備機器等の管理対象物を保守・点検するときに管理対象物を識別するために用いられる。
【背景技術】
【０００２】
従来のタグ装置は、管理対象物を識別するための識別番号が表示または記憶された平板状のタグと、この平板状タグを管理対象物自体またはその近傍に取り付けるための細線状の取付具とを有するものである。
【０００３】
上記従来のタグ装置（銘板とも言う）は、管理対象物が古くなって新しい物と交換される場合に、取り替え交換される管理対象物と一緒にこのタグ装置も取り外されてしまい、新たな管理対象物を識別できなくなるという問題があった。例えば、管理対象物が蒸気トラップである場合、蒸気トラップが正常に作動しているのか否かを定期的に診断するに際して識別番号が必要になるが、蒸気トラップの取り替え交換と同時に銘板（タグ装置）も取り外されてしまうことが多々ある。
【特許文献１】特開平７−１３９９９５号公報
【発明の開示】
【発明が解決しようとする課題】
【０００４】
解決しようとする課題は、管理対象物が取り替え交換される場合にタグ装置は同時に取り外されにくくして、管理対象物を識別し続けることのできるタグ装置を提供することである。
【課題を解決するための手段】
【０００５】
本発明は、管理対象物を識別するための識別番号が表示または記憶されたタグと、当該タグを管理対象物自体またはその近傍に取り付けるための取付具とを有するものにおいて、タグに取り外されることを防止する注意文字を記載すると共に、当該注意文字の汚れを防止する光触媒コーティングを施したことを特徴とする。
【発明の効果】
【０００６】
本発明は、タグに取り外されることを防止する注意文字を記載すると共に、当該注意文字の汚れを防止する光触媒コーティングを施したことにより、長期間にわたって注意文字が汚れることはなく鮮明に注意文字を表示することによって、タグ装置が取り外されることを防止し、管理対象物の識別を続けることができる。
【発明を実施するための最良の形態】
【０００７】
本発明は、タグに記載した文字の防汚のために光触媒コーティングを施すものであるが、光触媒としては酸化チタンの粒径が小さいものを使用することが好適である。
【実施例１】
【０００８】
本実施例のタグ装置１は、図１に示すように、光触媒コーティングを施した電子タグ２と、熱発電素子３、及び、熱発電素子３の一端部を高温蒸気配管５に取り付ける取付具４とから成り、管理対象物としての蒸気トラップを配管５の下流部（右側部）に取り付ける。
【０００９】
正方形薄板状の電子タグ２には、管理対象物としての蒸気トラップを識別するための識別番号を予め記憶しておく。電子タグ２の下部両面に「このタグ装置の取り外し厳禁」等の取り外されることを防止する注意文字をスペース１２に記載する。電子タグ２の外周には、電子タグ２を保護する透明樹脂製の保護ケースを設けて、この保護ケースの外表面に光触媒コーティングを施す。
【００１０】
配管５の外表面に接して熱発電素子３を配置する。熱発電素子３の右端部を取付具４と一体に形成する。熱発電素子３の上面には放熱フィン６を接続する。熱発電素子３は、配管５内を流下する高温蒸気や高温復水の熱を基に発電する素子であり、後述する充電部７へ駆動用の電源を供給することができるものである。
【００１１】
取付具４は、文房具としてのクリップ状のもので、配管５の外表面を挟み込むバネ板材から成る本体９と、本体９を配管５に取り付ける場合に本体９を押し広げるつまみ部１０とで構成される。つまみ部１０を作業者が手でつまんで本体９を配管５に装着することによって、熱発電素子３と充電部７が同時に配管５に取り付けられる。充電部７の下方に連結コード８を介して電子タグ２を取り付ける。なお、電子タグ２に記憶された蒸気トラップの識別番号は、非接触で図示しないタグ読取装置に読み取られる。
【００１２】
充電部７に音声発生部と文字表示部を内蔵する。文字表示部からの信号に応じてディスプレー１１上に必要な文字情報を表示する。音声発生部と文字表示部及びディスプレー１１はそれぞれ熱発電素子３で発生した電源を駆動用に用いる。
【００１３】
取付具４のつまみ部１０に、つまみ部１０の変形量を検出するための歪センサを取り付ける。作業者がつまみ部１０をつかんで、取付具４と熱発電素子３と電子タグ２を取り外そうとすると、つまみ部１０の歪センサが検知して、充電部７に内蔵された音声発生部から「このタグ装置は取り外さないで下さい」等の注意音声を発生したり、あるいは、ディスプレー１１上に同様の注意文字を表示または点滅することができるものである。
【００１４】
配管５の右側部に取り付けた図示しない管理対象物としての蒸気トラップを、配管５から取り外して交換する場合において、電子タグ２の下部には光触媒で汚染防止された注意文字１２が鮮明に記載されているために、作業者が電子タグ２を管理対象物と同時に取り外してしまう可能性を低減することができる。また、作業者が誤って取付具４を取り外そうとすると、上述したような注意音声や文字が発せられるために、取付具４に連結された電子タグ２が同時に取り外される可能性を更に低いものとすることができる。
【００１５】
本実施例においては、取付具４としてつまみ部１０を有するクリップ状のものを用いた例を示したが、取付具４は従来公知の取付用ベルトを用いることもでき、管理対象物の表面状態によっては接着テープや接着剤を用いることもできる。
【００１６】
また本実施例においては、タグとして電子タグを用いた例を示したが、文字や記号を記載あるいは貼り付けた従来公知のタグを用いることもできる。
【図面の簡単な説明】
【００１７】
【図１】本発明のタグ装置の実施例を示す構成図。
【符号の説明】
【００１８】
１  タグ装置
２  電子タグ
３  熱発電素子
４  取付具
５  高温配管
６  放熱フィン
７  充電部
９  本体
１０  つまみ部
１１  ディスプレー
１２  注意文字 
【図１】
2005326592.tif 000003